(57)【要約】【課題】紙幣の入出金処理を簡素な機構で行なう小型の紙幣入出金機を提供する。【解決手段】紙幣入出金機１において、出金リジェクト庫３３を紙幣カセット２９内に配置し、紙幣出金部５０を紙幣カセット２９の外に出金リジェクト庫３３に隣接して配置する。紙幣入出金機１は、千円紙幣が千円スタッカ２８から正常に繰り出されたときには、その千円紙幣を紙幣搬送ベルト５２で搬送してプッシャ５６で出金紙幣保留部５３に押し出し、紙幣出金部５０によって紙幣払出口１ｂに搬送する。正常に繰り出されなかったときには、その紙幣を紙幣搬送ベルト５２で出金リジェクト庫３３へ搬送してそこに収納する。これにより、紙幣入出金機１を、その搬送機構を複雑化することなく、小型化することができる。【選択図】        図１
2004258993.tif 000002
【特許請求の範囲】
【請求項１】
紙幣投入口に投入された紙幣を搬送する紙幣搬送部と、前記紙幣搬送部を搬送される紙幣の金種を判別する紙幣検銭部と、前記紙幣検銭部による判別結果に基づいて紙幣をスタッカに収納する紙幣収納部と、紙幣の出金が必要になった場合に前記スタッカに収納されている紙幣を繰り出す紙幣繰出部と、前記紙幣繰出部によって繰り出された紙幣を紙幣払出口へ搬送して出金する紙幣出金部と、を有する紙幣入出金機において、
前記スタッカと、前記スタッカから正常に繰り出されなかった紙幣を収納する出金リジェクト庫と、を有する紙幣カセットと、
前記スタッカから紙幣が正常に繰り出されたときには紙幣を前記紙幣払出口へ搬送し、前記スタッカから紙幣が正常に繰り出されなかったときには紙幣を前記出金リジェクト庫に搬送する紙幣出金部と、
を有することを特徴とする紙幣入出金機。
【請求項２】
前記紙幣出金部は、前記スタッカから繰り出された紙幣を搬送する紙幣搬送ベルトと、前記紙幣搬送ベルトによって搬送される紙幣の搬送路の途中に配置され、出金する紙幣を一時的に保留する出金紙幣保留部に押し出すプッシャと、前記出金紙幣保留部の紙幣を前記紙幣払出口へ搬送する搬送ローラと、を有し、
前記スタッカから紙幣が正常に繰り出されたときには、紙幣を前記紙幣搬送ベルトによって前記プッシャの位置まで搬送し、前記プッシャによって前記出金紙幣保留部に押し出し、前記出金紙幣保留部に押し出された紙幣を前記搬送ローラによって前記紙幣払出口へ搬送し、
前記スタッカから紙幣が正常に繰り出されなかったときには、紙幣を前記紙幣搬送ベルトによって前記出金リジェクト庫に搬送する、ことを特徴とする請求項１記載の紙幣入出金機。
【請求項３】
前記紙幣出金部は、前記紙幣カセット外に前記出金リジェクト庫に隣接して配置されていることを特徴とする請求項１記載の紙幣入出金機。
【発明の詳細な説明】
【０００１】
【発明の属する技術分野】
本発明は紙幣入出金機に関し、特に入金された紙幣を内部に備えたスタッカに収納し、必要に応じてスタッカから必要枚数の紙幣を繰り出して利用者側に出金し、その際、正常に繰り出されなかった紙幣は出金リジェクト庫に収納して出金しないようにしている紙幣入出金機に関する。
【０００２】
【従来の技術】
ガソリンスタンドや店舗の会計場などには、電子式金銭登録機やＰＯＳ（販売時点情報管理システム）用レジスタに接続され、入金された紙幣を内部に備えたスタッカに収納して、入金された紙幣の額に対して釣銭紙幣が必要になった場合にはスタッカから必要枚数の紙幣を繰り出して利用者側に出金する紙幣入出金機が設置されている。
【０００３】
紙幣入出金機のスタッカは、決められた金種（単金種または複数金種）の紙幣が収納されるようになっていて、通常、紙幣の回収または補充の便宜のため、紙幣入出金機本体に着脱可能に構成されている。また、紙幣入出金機には、決められた金種の紙幣に割り当てられたスタッカに加え、紙幣を出金する際にスタッカから正常に繰り出されなかった紙幣をそのまま出金せずに内部に収納しておくための出金リジェクト庫も設けられている。
【０００４】
このような紙幣入出金機としては、例えば、出金リジェクト庫を各金種の紙幣が収納されるスタッカと共にカセットに収めた紙幣カセットを有するものが提案されている（例えば特許文献１参照）。この提案では、入金された紙幣および出金される紙幣が収納されるリサイクルボックスが更に設けられていて、紙幣入出金機での主な入出金処理はこのリサイクルボックス内に収納されている紙幣を用いて行なわれる。紙幣入出金機内の紙幣を回収する際には、まず、リサイクルボックスに収納されている紙幣を紙幣カセットに移し、次いで、紙幣カセットを紙幣入出金機本体から引き抜き、紙幣を回収する。
【０００５】
【特許文献１】
特開２０００−１８２１２０号公報（段落番号［０００６］，図１，図２）
【０００６】
【発明が解決しようとする課題】
しかしながら、紙幣入出金機に、リサイクルボックスとこのリサイクルボックス内の紙幣が回収される紙幣カセットを別個に設ける場合には、紙幣入出金機の大型化は避けられない。さらに、リサイクルボックスへの紙幣搬送機構、紙幣カセットへの紙幣搬送機構、リサイクルボックス−紙幣カセット間の紙幣搬送機構、紙幣を出金リジェクト庫へ搬送する紙幣搬送機構を設けるため、紙幣入出金機の大型化に加え、その構造および搬送、収納、出金の各動作の制御機構が複雑になってしまう。さらに、紙幣カセットから紙幣を回収する前には、リサイクルボックス内の紙幣を全て紙幣カセットに移す必要があるため、紙幣回収作業が煩雑になる。
【０００７】
また、紙幣入出金機がリサイクルボックスを有していなくても、各スタッカを紙幣カセットに収めてこの紙幣カセットと別個に出金リジェクト庫を設けた場合には、各スタッカへの紙幣搬送機構およびスタッカから紙幣を出金するための紙幣搬送機構に加え、スタッカから出金リジェクト庫への紙幣搬送機構が必要になり、やはり紙幣入出金機が大型になってしまう。
【０００８】
本発明はこのような点に鑑みてなされたものであり、紙幣の入出金処理を簡素な機構で行なうことのできる小型の紙幣入出金機を提供することを目的とする。
【０００９】
【課題を解決するための手段】
本発明では上記問題を解決するために、紙幣投入口に投入された紙幣を搬送する紙幣搬送部と、前記紙幣搬送部を搬送される紙幣の金種を判別する紙幣検銭部と、前記紙幣検銭部による判別結果に基づいて紙幣をスタッカに収納する紙幣収納部と、紙幣の出金が必要になった場合に前記スタッカに収納されている紙幣を繰り出す紙幣繰出部と、前記紙幣繰出部によって繰り出された紙幣を紙幣払出口へ搬送して出金する紙幣出金部と、を有する紙幣入出金機において、前記スタッカと、前記スタッカから正常に繰り出されなかった紙幣を収納する出金リジェクト庫と、を有する紙幣カセットと、前記スタッカから紙幣が正常に繰り出されたときには紙幣を前記紙幣払出口へ搬送し、前記スタッカから紙幣が正常に繰り出されなかったときには紙幣を前記出金リジェクト庫に搬送する紙幣出金部と、を有することを特徴とする紙幣入出金機が提供される。
【００１０】
このような紙幣入出金機によれば、出金リジェクト庫が紙幣カセット内に配置され、紙幣出金部が紙幣払出口から出金する紙幣の搬送と出金リジェクト庫への紙幣の搬送を行なう。これにより、紙幣入出金機の搬送機構や制御機構が複雑にならず、紙幣入出金機の小型化が可能になる。さらに、出金リジェクト庫が紙幣カセット内に設けられるので、紙幣回収作業が容易に行なえる。
【００１１】
【発明の実施の形態】
以下、本発明の実施の形態を、図面を参照して詳細に説明する。
図１は紙幣入出金機の側面概略図、図２は紙幣入出金機の正面概略図、図３は図２のＡ部拡大模式図である。
【００１２】
紙幣入出金機１は、紙幣が、その面を紙幣入出金機１の上下方向に向けた状態で紙幣長手方向に１枚ずつ投入され、搬送され、収納され、払い出されるように構成されている。紙幣入出金機１の正面側下部には、紙幣が投入される紙幣投入口１ａ、および釣銭紙幣または返却紙幣が払い出される紙幣払出口１ｂが設けられている。紙幣投入口１ａおよび紙幣払出口１ｂは、共にいずれの金種の紙幣も取り扱えるように構成されている。紙幣投入口１ａの奥には、投入された紙幣を、紙幣長手方向に紙幣入出金機１の背面側（奥行方向）へ搬送してからその上部（高さ方向）へと搬送する紙幣搬送部１０が配置されている。さらに、紙幣入出金機１は、紙幣搬送部１０を搬送された紙幣を積層収納するスタッカを備えた紙幣収納部２０を有し、また、紙幣収納部２０の下には、釣銭紙幣または返却紙幣を紙幣払出口１ｂへ搬送して出金する紙幣出金部５０が配置されている。
【００１３】
紙幣搬送部１０には、紙幣投入口１ａから紙幣入出金機１の背面側、更にその上部に向かって順に、プーリ１１ａ，１１ｂ，１１ｃ，１１ｄ，１１ｅ，１１ｆ，１１ｇが配置されている。プーリ１１ａ，１１ｂには紙幣搬送ベルト１２ａが、プーリ１１ｂ，１１ｃには紙幣搬送ベルト１２ｂが、プーリ１１ｄ，１１ｅには紙幣搬送ベルト１２ｃが、プーリ１１ｅ，１１ｆには紙幣搬送ベルト１２ｄが、それぞれ張架されている。プーリ１１ａ，１１ｂ間には、押圧ローラ１３が配置されている。プーリ１１ａ，１１ｂ，１１ｃ，１１ｄ，１１ｅ，１１ｆ，１１ｇおよび押圧ローラ１３には、それぞれ圧接ローラ１４ａ，１４ｂ，１４ｃ，１４ｄ，１４ｅ，１４ｆ，１４ｇおよび１４ｈが対向配置されている。
【００１４】
紙幣搬送ベルト１２ｂは、モータ１５によって回転され、それによって紙幣搬送ベルト１２ａが回転するようになっている。紙幣投入口１ａの奥には図示しないセンサが設けられており、このセンサで紙幣の投入が検知されるとモータ１５が駆動して紙幣搬送ベルト１２ａ，１２ｂが回転し、紙幣が紙幣搬送路１６を搬送されていくようになっている。また、紙幣搬送ベルト１２ｃ，１２ｄは、モータ１７によって回転されるようになっている。
【００１５】
紙幣搬送路１６の途中には、搬送される紙幣の真偽および金種を判別する紙幣検銭部１８が設けられている。さらに、紙幣入出金機１の上部へ向かう紙幣搬送路１６には、プーリ１１ｄ，１１ｅの近傍に、紙幣搬送路１６に対して進退してそこを搬送される紙幣の搬送路を切り替える切替えゲート１９ａ，１９ｂがそれぞれ配置されている。切替えゲート１９ａ，１９ｂは、通常は紙幣搬送路１６から退避した状態で待機している。
【００１６】
紙幣収納部２０には、紙幣搬送部１０から搬送されてくる二千円，五千円，一万円紙幣を一時的に保留する混合紙幣収納保留部２１、および紙幣搬送部１０から搬送されてくる千円紙幣を一時的に保留する千円紙幣収納保留部２２が設けられている。紙幣搬送部１０の切替えゲート１９ａ，１９ｂが共に紙幣搬送路１６から退避しているときは、紙幣は、混合紙幣収納保留部２１へ搬送されるようになっている。また、切替えゲート１９ｂのみ紙幣搬送路１６に進入しているときは、紙幣は、千円紙幣収納保留部２２へ搬送されるようになっている。
【００１７】
混合紙幣収納保留部２１に保留された紙幣は、モータ２３を駆動源とするパンタグラフ２４を用いて、プッシャ２５によって混合スタッカ２６に押し込まれてそこに収納されるようになっている。
【００１８】
この混合スタッカ２６に紙幣を押し込むプッシャ２５には、千円紙幣が収納される千円スタッカ２８が図２および図３に示すジョイント部により連結されていて、プッシャ２５が混合スタッカ２６側へ移動すると、千円スタッカ２８も一緒に混合スタッカ２６側へ移動するように構成されている。千円スタッカ２８は、紙幣入出金機１本体に対して図２および図３に示すジョイント部により着脱可能な紙幣カセット２９内に収められ、千円スタッカ２８はこの紙幣カセット２９内をプッシャ２５と共に移動できるように構成されている。千円紙幣を千円スタッカ２８に押し込むプッシャ２７は、紙幣入出金機１の本体に固定されていて、千円スタッカ２８が混合スタッカ２６側へ移動しても、移動しないようになっている。千円紙幣収納保留部２２に搬送された千円紙幣は、プッシャ２５および千円スタッカ２８が混合スタッカ２６側へ移動することによってプッシャ２７が千円スタッカ２８に進入し、千円スタッカ２８に押し込まれてそこに収納されるようになっている。
【００１９】
千円スタッカ２８内には、パンタグラフ３１で支持された受け板３２が配置されており、千円スタッカ２８に収納される千円紙幣は、プッシャ２７で押し込まれてこの受け板３２上に積層される。
【００２０】
千円スタッカ２８に収納された千円紙幣は、後述の紙幣繰出部によって繰り出されて紙幣払出口１ｂから出金される釣銭紙幣として用いられる。紙幣カセット２９の下部には、千円スタッカ２８の下に、千円スタッカ２８から千円紙幣が、例えば複数枚重なり状態で繰り出されるなど、正常に繰り出されなかった場合に、その千円紙幣を収納しておく出金リジェクト庫３３が紙幣カセット２９内の底部に配置されている。
【００２１】
紙幣繰出部４０は、千円スタッカ２８と混合紙幣収納保留部２１との間に配置され、紙幣繰出部４０には、モータ４１を駆動源とする複数の繰出ローラ４２、および千円スタッカ２８の紙幣受入口近傍で繰出ローラ４２に対向配置される非回転の阻止ローラ４３が配置されている。各繰出ローラ４２には、高摩擦係数部材４２ａが部分的に周設されている。この紙幣繰出部４０は、プッシャ２５および千円スタッカ２８が移動しても、移動しないように配置されている。また、千円スタッカ２８内の受け板３２は、ばね力によって繰出ローラ４２の方向に付勢されている。
【００２２】
千円紙幣の繰出時には、収納時と同様にして、プッシャ２５および千円スタッカ２８が共に混合スタッカ２６側へ移動することにより、受け板３２上に積層して収納されている千円紙幣が繰出ローラ４２に押圧されるようになる。繰出ローラ４２を図１中時計回り方向に回転することにより、繰出ローラ４２に押圧されている受け板３２上の千円紙幣が千円スタッカ２８の紙幣受入口から順に繰り出されていく。その際、繰り出される千円紙幣が繰出ローラ４２と阻止ローラ４３との間を通過することにより、千円紙幣の重なり状態での搬送が抑制されるようになっている。繰出ローラ４２と阻止ローラ４３との間を通過した千円紙幣は、切替えゲート１９ａ，１９ｂを共に進入させた紙幣搬送路１６へ送られ、紙幣搬送ベルト１２ｃの逆転動作によって紙幣搬送路１６を紙幣収納時と逆方向に搬送されるようになっている。
【００２３】
紙幣出金部５０は、紙幣カセット２９の下に、出金リジェクト庫３３に隣接するようにして配置されている。紙幣出金部５０は、プーリ１１ｄ，５１ａに張架された紙幣搬送ベルト５２を有し、この紙幣搬送ベルト５２は、モータ１７を駆動源として回転するようになっている。出金リジェクト庫３３の紙幣受入口近傍に配置された送りローラ５１ｂは、プーリ５１ａと同期回転するようになっている。紙幣搬送ベルト５２の下には、出金する千円紙幣を一時的に保留しておく出金紙幣保留部５３、および紙幣搬送ベルト５２で搬送されてきた千円紙幣を、モータ５４を駆動源とするパンタグラフ５５を用いて出金紙幣保留部５３に押し込むプッシャ５６が配置されている。さらに、紙幣出金部５０は、出金紙幣保留部５３にある千円紙幣を紙幣払出口１ｂへ搬送する搬送ローラ５７を有している。搬送ローラ５７は、プーリ１１ａにベルトにより連結されて駆動される。
【００２４】
紙幣繰出部４０で繰り出された千円紙幣は、千円スタッカ２８から紙幣搬送路１６を収納時と逆方向に搬送され、紙幣出金部５０へと導かれる。千円紙幣が千円スタッカ２８から正常に繰り出された場合には、その千円紙幣は、紙幣搬送ベルト５２でプッシャ５６の位置まで搬送され、プッシャ５６によって出金紙幣保留部５３に押し出されるようになっている。
【００２５】
一方、千円紙幣が千円スタッカ２８から正常に繰り出されなかった場合には、送りローラ５１ｂが出金リジェクト庫３３の紙幣受入口側に移動する。そして、紙幣搬送ベルト５２によって搬送されてきた千円紙幣を、プーリ５１ａと同期して回転する送りローラ５１ｂで紙幣受入口から出金リジェクト庫３３内に送り込んで収納するようになっている。
【００２６】
なお、紙幣入出金機１では、入金時のほか、搬送時、収納時、出金時においても、紙幣は適当に配置したセンサを用いてその通過や通過回数などが検知されるようになっている。例えば、紙幣繰出部４０から紙幣が正常に繰り出されたか否かをセンサで検知し、その検知結果に基づき、繰り出された紙幣をプッシャ５６で出金紙幣保留部５３に押し出すか、または出金リジェクト庫３３へ搬送する。
【００２７】
上記構成の紙幣入出金機１において、紙幣投入口１ａから紙幣がその長手方向に投入されたことが検知されると、その紙幣は、紙幣搬送路１６を搬送され、紙幣検銭部１８で真偽および金種が判別される。ここで、その紙幣が偽と判別された場合には、紙幣入出金機１は、紙幣搬送ベルト１２ａ，１２ｂを逆転動作し、その紙幣を紙幣投入口１ａから利用者側に返却する。紙幣検銭部１８で硬貨が真と判別され、その金種が判別されると、その紙幣は紙幣搬送路１６を更に搬送され、紙幣検銭部１８での金種判別結果に基づいて進退する切替えゲート１９ａ，１９ｂによってその搬送路を切り替えられる。
【００２８】
紙幣検銭部１８で判別された紙幣が二千円紙幣、五千円紙幣または一万円紙幣の場合には、紙幣入出金機１は、切替えゲート１９ａ，１９ｂを紙幣搬送路１６から共に退避させた状態のまま、その紙幣を混合紙幣収納保留部２１へと搬送する。混合紙幣収納保留部２１に搬送された紙幣は、プッシャ２５によって混合スタッカ２６に押し込まれる。
【００２９】
紙幣検銭部１８で判別された紙幣が千円紙幣の場合には、紙幣入出金機１は、切替えゲート１９ａは紙幣搬送路１６から退避させたまま、切替えゲート１９ｂは進入させ、その紙幣を千円紙幣収納保留部２２へと搬送する。千円紙幣収納保留部２２に搬送された紙幣は、プッシャ２５と共に千円スタッカ２８が混合スタッカ２６側へ移動することにより、プッシャ２７によって千円スタッカ２８に押し込まれ、受け板３２上に積層して収納される。
【００３０】
紙幣入出金機１に入金された額の紙幣に対して釣銭紙幣が必要になった場合には、紙幣入出金機１は、千円スタッカ２８を混合スタッカ２６側へ移動し、受け板３２上の千円紙幣を繰出ローラ４２に押圧し、繰出ローラ４２を回転して収納されている千円紙幣を順に繰り出す。その際、繰り出される千円紙幣が、繰出ローラ４２と阻止ローラ４３との間を通過することで、重なり状態での千円紙幣の繰り出しは抑制される。
【００３１】
千円スタッカ２８から繰り出された千円紙幣は、切替えゲート１９ａ，１９ｂを共に進入させた紙幣搬送路１６を、収納時とは逆方向に搬送され、紙幣搬送ベルト５２によって紙幣出金部５０のプッシャ５６の位置まで搬送される。そして、プッシャ５６によって出金紙幣保留部５３に押し出され、釣銭として必要な枚数の千円紙幣が出金紙幣保留部５３に保留される。紙幣入出金機１は、所定枚数の千円紙幣の保留終了後に、プッシャ５６と搬送ローラ５７との間に紙幣を挟んだ状態で、搬送ローラ５７を回転し、千円紙幣を紙幣払出口１ｂへ搬送して利用者側に出金する。
【００３２】
千円スタッカ２８から千円紙幣を繰り出す際に、千円紙幣が正常に繰り出されなかった場合には、その千円紙幣は、紙幣搬送路１６を通って紙幣搬送ベルト５２で搬送され、途中、プッシャ５６によって出金紙幣保留部５３に押し出されることなく、更に搬送されて出金リジェクト庫３３まで搬送される。そして、再度千円スタッカ２８からの千円紙幣の繰出動作が行なわれる。
【００３３】
千円スタッカ２８に収納されている紙幣を回収するときは、紙幣カセット２９を紙幣入出金機１本体から正面側に引き抜いて紙幣を回収し、回収後は紙幣カセット２９を再び紙幣入出金機１本体に装着する。釣銭紙幣として用いる千円紙幣を補充するときは、引き抜いた紙幣カセット２９の千円スタッカ２８に必要枚数の千円紙幣を補充した後、紙幣カセット２９を再び紙幣入出金機１本体に装着する。
【００３４】
なお、混合スタッカ２６も紙幣入出金機１の正面側から着脱可能に構成されている。
以上説明したように、上記紙幣入出金機１では、紙幣カセット２９の下に紙幣出金部５０を出金リジェクト庫３３に隣接するようにして配置し、紙幣払出口１ｂから出金する千円紙幣の搬送と、出金リジェクト庫３３への千円紙幣の搬送を、紙幣出金部５０の搬送機構を共用して行なうようにしている。そのため、紙幣入出金機１を、その搬送機構を複雑化することなく、小型化することができる。
【００３５】
さらに、出金リジェクト庫３３が千円スタッカ２８と共に紙幣カセット２９内に設けられているので、千円スタッカ２８から正常に繰り出されなかった千円紙幣の枚数が何枚であっても、その時の出金処理後に残っているべき千円紙幣は全て紙幣カセット２９内に収納されている。そのため、出金リジェクト庫３３を紙幣カセット２９外に設けた場合に比べて、紙幣回収作業が容易であるとともに、千円紙幣の出金枚数管理を容易かつ適正に行なうことができる。
【００３６】
なお、以上の説明では、紙幣カセット内に、出金リジェクト庫を最下部にしてスタッカを高さ方向に並べて配置し、紙幣出金部を紙幣カセットの出金リジェクト庫側に配置した場合を例にして述べたが、紙幣カセット内のスタッカおよび出金リジェクト庫の配置は上記の例に限定されるものではない。紙幣入出金機の構成に応じて紙幣カセット内の配置を変更し、紙幣出金部を例えば紙幣カセット外に出金リジェクト庫に隣接させるようにして配置すればよい。また、本発明は、紙幣カセット内のスタッカおよび出金リジェクト庫を横並びで配置した場合にも同様にして適用することができる。
【００３７】
また、本発明の紙幣入出金機を、硬貨の入出金処理を行なう硬貨入出金機と組み合わせて、紙幣および硬貨の入出金処理が可能な貨幣入出金機を構成することもできる。
【００３８】
【発明の効果】
以上説明したように、本発明では、出金リジェクト庫を紙幣カセット内に配置し、紙幣出金部によって紙幣払出口から出金する紙幣の搬送と出金リジェクト庫への紙幣の搬送を行なう構成にした。これにより、紙幣入出金機を、その搬送機構を複雑化することなく、小型化することが可能になるとともに、紙幣回収作業を容易に行なうことができる。
【図面の簡単な説明】
【図１】紙幣入出金機の側面概略図である。
【図２】紙幣入出金機の正面概略図である。
【図３】図２のＡ部拡大模式図である。
【符号の説明】
１  紙幣入出金機
１ａ  紙幣投入口
１ｂ  紙幣払出口
１０  紙幣搬送部
１１ａ，１１ｂ，１１ｃ，１１ｄ，１１ｅ，１１ｆ，１１ｇ，５１ａ  プーリ
１２ａ，１２ｂ，１２ｃ，１２ｄ  紙幣搬送ベルト
１３  押圧ローラ
１４ａ，１４ｂ，１４ｃ，１４ｄ，１４ｅ，１４ｆ，１４ｇ  圧接ローラ
１５，１７，２３，４１，５４  モータ
１６  紙幣搬送路
１８  紙幣検銭部
１９ａ，１９ｂ  ゲート
２０  紙幣収納部
２１  混合紙幣収納保留部
２２  千円紙幣収納保留部
２４，３１，５５  パンタグラフ
２５，２７，５６  プッシャ
２６  混合スタッカ
２８  千円スタッカ
２９  紙幣カセット
３２  受け板
３３  出金リジェクト庫
４０  紙幣繰出部
４２  繰出ローラ
４２ａ  高摩擦係数部材
４３  阻止ローラ
５０  紙幣出金部
５１ｂ  送りローラ
５２  紙幣搬送ベルト
５３  出金紙幣保留部
５７  搬送ローラ
【図１】
2004258993.tif 000003
【図２】
2004258993.tif 000004
【図３】
2004258993.tif 000005